(57)【特許請求の範囲】
【請求項１】
第一の光源と、
上記第一の光源よりも相関色温度が低い光を放射する第二の光源と、
太陽光発電装置により生成された電力を、上記２つの光源に対して供給する第一の電源回路と、
交流電源から供給される電力を上記２つの光源に対して供給する第二の電源回路であって、上記太陽光発電装置の発電量が多いか少ないかを判定し、上記太陽光発電装置の発電量が多いという判定から少ないという判定に変わってから所定の時間が経過するまでの間、上記第一の光源に対して供給する電力を減らしていき、上記所定の時間の経過後、上記第二の光源のみに対して電力を供給する第二の電源回路と
を有することを特徴とする照明装置。
【請求項２】
上記第二の電源回路が上記第一の光源に対して供給する電力は、上記太陽光発電装置の発電量が多いと判定するときに上記第一の電源回路が上記第一の光源に対して供給する電力よりも少ないことを特徴とする請求項１に記載の照明装置。
【請求項３】
第一の光源と、
上記第一の光源よりも相関色温度が低い光を放射する第二の光源と、
太陽光発電装置により生成された電力を、上記２つの光源に対して供給する第一の電源回路と、
上記太陽光発電装置の発電量が多いか少ないかを判定し、上記太陽光発電装置の発電量が多いという判定から少ないという判定に変わってから所定の時間が経過するまでの間、上記第一の光源に対して電力を供給し、上記所定の時間の経過後、上記第二の光源のみに対して電力を供給する第二の電源回路と、
上記第二の電源回路が上記第一の光源に対して供給する電力は、上記太陽光発電装置の発電量が多いと判定するときに上記第一の電源回路が上記第一の光源に対して供給する電力よりも少ないことを特徴とする照明装置。
【請求項４】
第一の光源と、
上記第一の光源よりも相関色温度が低い光を放射する第二の光源と、
太陽光発電装置により生成された電力を、上記２つの光源に対して供給する第一の電源回路であって、上記太陽光発電装置の発電量が多いか少ないかを判定し、上記太陽光発電装置の発電量が少ないと判定した場合に、電力の供給を停止する第一の電源回路と、
上記太陽光発電装置の発電量が多いか少ないかを判定し、上記太陽光発電装置の発電量が少ないと判定した場合に、上記第二の光源のみに対して電力を供給する第二の電源回路とを有することを特徴とする照明装置。
【発明の詳細な説明】
【技術分野】
【０００１】
この発明は、太陽光発電を利用した照明装置に関する。
【背景技術】
【０００２】
太陽光発電を利用した照明装置として、太陽光発電装置の出力を光源に直結することにより、外が明るいときほど、光源を明るく点灯する照明装置がある。
【先行技術文献】
【特許文献】
【０００３】
【特許文献１】特開平７−５７８７７号公報
【発明の概要】
【発明が解決しようとする課題】
【０００４】
このような照明装置により、屋外との明るさの差を小さくすることができるが、夜間や、昼間でも太陽が出ていないときにも、照明装置を点灯するためには、太陽光発電装置とは別のエネルギー源が必要になる。また、照明の明るさにより、快適な相関色温度が異なることが知られている。
この発明は、例えば上記のような課題を解決するためになされたものであり、太陽光発電の出力を最大限利用することによって省エネを図るとともに、屋外環境と違和感のない照明環境を実現することを目的とする。
【課題を解決するための手段】
【０００５】
この発明にかかる照明装置は、
第一の光源と、
上記第一の光源よりも相関色温度が低い光を放射する第二の光源と、
太陽光発電装置により生成された電力を、上記２つの光源に対して供給する第一の電源回路と、
上記太陽光発電装置の発電量が多いか少ないかを判定し、上記太陽光発電装置の発電量が少ないと判定した場合に、上記第二の光源に対して電力を供給する第二の電源回路とを有することを特徴とする。
【発明の効果】
【０００６】
この発明にかかる照明装置によれば、太陽光発電の出力を最大限利用でき、かつ屋外環境と違和感のない照明環境を実現することができる。
【図面の簡単な説明】
【０００７】
【図１】実施の形態１における照明装置１００の全体構成を示すブロック構成図。
【図２】実施の形態１における照明装置１００の回路構成を示す電気回路図。
【図３】実施の形態１における照明装置１００が放射する光の相関色温度と光出力との関係を示すグラフ図。
【図４】実施の形態２における照明装置１００の全体構成を示すブロック構成図。
【図５】実施の形態２における照明装置１００の回路構成を示す電気回路図。
【図６】実施の形態２における点灯処理Ｓ６００の流れを示すフローチャート図。
【図７】実施の形態２における電源回路１１０が出力できる最大電流と、２つの電源回路１１０，１３０が出力する電流の合計との関係を示すグラフ図。
【図８】実施の形態３における点灯処理Ｓ６００の流れを示すフローチャート図。
【図９】実施の形態３における照明装置１００が放射する光の相関色温度と光出力との関係を示すグラフ図。
【図１０】実施の形態４における点灯処理Ｓ６００の流れを示すフローチャート図。
【図１１】実施の形態４における照明装置１００が放射する光の相関色温度と光出力との関係を示すグラフ図。
【図１２】実施の形態５における照明装置１００の全体構成を示すブロック構成図。
【図１３】実施の形態５における照明装置１００の回路構成を示す電気回路図。
【図１４】実施の形態５における点灯処理Ｓ６００の流れを示すフローチャート図。
【発明を実施するための形態】
【０００８】
実施の形態１．
実施の形態１について、図１〜図３を用いて説明する。
【０００９】
図１は、この実施の形態における照明装置１００の全体構成を示すブロック構成図である。
照明装置１００は、例えばＬＥＤ照明器具である。照明装置１００は、太陽光発電装置ＰＧから供給される電力により光源を点灯する。また、夜間など太陽光発電装置ＰＧから供給される電力が不足する場合は、商用電源などの交流電源ＡＣ（商用電力装置）から供給される電力により光源を点灯する。
照明装置１００は、例えば店舗などの屋内に設置される。昼間など屋外が明るいときは、屋外との明るさの差を小さくするため、照明装置１００は、光源を明るく点灯する。夜間など屋外が暗いときは、省エネのため、照明装置１００は、光源を暗く点灯する。また、照明装置１００は、光源を明るく点灯するときは、光源が放射する光の相関色温度を高くし、逆に、光源を暗く点灯するときは、光源が放射する光の相関色温度を低くする。
【００１０】
照明装置１００は、２つの電源回路１１０，１３０と、２つの光源回路１５０，１７０とを有する。
２つの電源回路１１０，１３０は、例えばＬＥＤ電源装置である。
電源回路１１０（第一の電源回路）は、太陽光発電装置ＰＧが生成した電力を、２つの光源回路１５０，１７０に供給する電力に変換する。
電源回路１３０（第二の電源回路）は、太陽光発電装置ＰＧの発電量が多いか少ないかを判定し、太陽光発電装置ＰＧの発電量が少ない場合、交流電源ＡＣからの電力を、光源回路１７０に供給する電力に変換する。
光源回路１５０は、例えばＬＥＤなどの光源（第一の光源）を有する。光源回路１５０の光源は、電源回路１１０から供給される電力により点灯し、相関色温度が比較的高い光を放射する。
光源回路１７０は、例えばＬＥＤなどの光源（第二の光源）を有する。光源回路１７０の光源は、電源回路１１０や電源回路１３０から供給される電力により点灯し、光源回路１５０の光源よりも相関色温度が低い光を放射する。
２つの光源回路１５０，１７０の光源は、放射する光が十分に混合して、色ムラが生じないように配置されている。
【００１１】
昼間など屋外が明るい場合、太陽光発電装置ＰＧの発電量が多いので、電源回路１３０は動作しない。電源回路１１０から供給される電力により、２つの光源回路１５０，１７０の光源が点灯する。照明装置１００は、２つの光源回路１５０，１７０の光源が放射した光を混合した光を放射する。照明装置１００は、２つの光源回路１５０，１７０の光源が放射する光の相関色温度の中間の相関色温度の光を放射する。
【００１２】
夜間など屋外が暗い場合、太陽光発電装置ＰＧの発電量が少ないので、電源回路１３０が動作する。電源回路１３０から供給される電力により、光源回路１７０の光源が点灯する。光源回路１５０には、電源回路１３０からの電力が供給されない。電力電源回路１１０から供給される電力だけでは、光源回路１５０の光源は点灯しない。したがって、照明装置１００は、光源回路１７０が放射した相関色温度が低い光を放射する。
【００１３】
図２は、この実施の形態における照明装置１００の回路構成を示す電気回路図である。
【００１４】
２つの光源回路１５０，１７０は、例えば複数のＬＥＤが直列に電気接続した回路である。２つの光源回路１５０，１７０は、互いに直列に電気接続している。
【００１５】
電源回路１１０は、例えば、フライバックコンバータ回路である。その場合、電源回路１１０は、例えば、制御回路１１２と、トランスＴ１３と、スイッチング素子Ｑ１６と、２つの整流素子Ｄ１７，Ｄ２１と、平滑コンデンサＣ１８と、電流検出抵抗Ｒ１９とを有する。
スイッチング素子Ｑ１６は、トランスＴ１３の一次巻線Ｌ１４と直列に電気接続している。太陽光発電装置ＰＧが生成した直流電圧は、巻線Ｌ１４とスイッチング素子Ｑ１６との直列回路の両端に印加される。制御回路１１２は、スイッチング素子Ｑ１６を高周波でオンオフする。整流素子Ｄ１７及び平滑コンデンサＣ１８は、トランスＴ１３の二次巻線Ｌ１５と直列に電気接続している。整流素子Ｄ２１は、電流の逆流を防ぐ。電流検出抵抗Ｒ１９は、電源回路１１０が出力する電流を検出する。電源回路１１０が出力する電流は、２つの光源回路１５０，１７０を流れる。
制御回路１１２は、電流検出抵抗Ｒ１９の両端に発生した電圧を帰還信号として入力し、電源回路１１０が出力する電流が所定の目標電流に一致するよう、スイッチング素子Ｑ１６をオンオフする周波数やタイミングを調整する。太陽光発電装置ＰＧが生成した電力が少ないと、電源回路１１０が出力する電流が目標電流に届かない場合がある。制御回路１１２は、電源回路１１０が出力する電流が目標電流に届いたか否かを表わす信号を生成して出力する。
なお、制御回路１１２の動作電源は、例えば、太陽光発電装置ＰＧが生成した電力から生成する。その場合、太陽光発電装置ＰＧが生成した電力が少ないと、そもそも制御回路１１２が動作しない。このため、制御回路１１２が出力する信号は、例えば高電位のとき、電源回路１１０が出力する電流が目標電流に届いたことを表わす信号とするのが望ましい。そうすれば、制御回路１１２が動作しない場合は、制御回路１１２が出力する信号が低電位になり、電源回路１１０が出力する電流が目標電流に届いていないことを表わす。
また、制御回路１１２は、電源回路１１０が出力する電流が目標電流に届かない場合、スイッチング素子Ｑ１６を継続してオフとし、電源回路１１０の動作を停止させる構成であってもよい。その場合、制御回路１１２は、例えば、電源回路１１０を間歇的に動作させて、電源回路１１０が出力する電流が目標電流に届くか否かを判定する。電源回路１１０が出力する電流が目標電流に届いた場合、制御回路１１２は、太陽光発電装置ＰＧの発電量が回復したと判定し、電源回路１１０をそのまま動作させる。電源回路１１０が出力する電流が目標電流に届かない場合、制御回路１１２は、太陽光発電装置ＰＧの発電量が少ないままであると判定し、再び電源回路１１０の動作を停止させる。
【００１６】
電源回路１３０は、例えばフライバックコンバータ回路である。その場合、電源回路１３０は、例えば、整流回路１３１と、制御回路１３２と、トランスＴ３３と、スイッチング素子Ｑ３６と、２つの整流素子Ｄ３７，Ｄ４１と、平滑コンデンサＣ３８と、電流検出抵抗Ｒ３９とを有する。
整流回路１３１は、交流電源ＡＣからの供給される交流電力を全波整流して、電圧波形を脈流にする。スイッチング素子Ｑ３６は、トランスＴ３３の一次巻線Ｌ３４と直列に電気接続している。整流回路１３１が生成した脈流電圧は、巻線Ｌ３４とスイッチング素子Ｑ３６との直列回路の両端に印加される。制御回路１３２は、スイッチング素子Ｑ３６を高周波でオンオフする。整流素子Ｄ３７及び平滑コンデンサＣ３８は、トランスＴ３３の二次巻線Ｌ３５と直列に電気接続している。整流素子Ｄ４１は、電流の逆流を防ぐ。電流検出抵抗Ｒ３９は、電源回路１３０が出力する電流を検出する。電源回路１３０が出力する電流は、光源回路１７０を流れるが、光源回路１５０は流れない。
制御回路１３２は、制御回路１１２が出力した信号を入力する。入力した信号が、電源回路１１０が出力する電流が目標電流に届いていないことを表わす場合、制御回路１３２は、太陽光発電装置ＰＧの発電量が少ないと判定する。その場合、制御回路１３２は、電流検出抵抗Ｒ３９の両端に発生した電圧を帰還信号として入力し、電源回路１３０が出力する電流が所定の目標電流に一致するよう、スイッチング素子Ｑ３６をオンオフする周波数やタイミングを調整する。なお、制御回路１３２の目標電流は、制御回路１１２の目標電流と異なる構成であってもよい。
制御回路１３２が入力した信号が、電源回路１１０が出力する電流が目標電流に届いていることを表わす場合、制御回路１３２は、太陽光発電装置ＰＧの発電量が多いと判定する。その場合、制御回路１３２は、スイッチング素子Ｑ３６を継続してオフの状態とし、電源回路１３０の動作を停止させる。
なお、制御回路１３２は、制御回路１１２が出力した信号を入力するのではなく、電流検出抵抗Ｒ１９の両端電圧を入力することにより、電源回路１１０が出力する電流が目標電流に届いているか否かを判定する構成であってもよい。
あるいは、制御回路１３２は、太陽光発電装置ＰＧの発電量を表わす信号を太陽光発電装置ＰＧから入力する構成であってもよい。
【００１７】
なお、２つの電源回路１１０，１３０は、フライバックコンバータ回路に限らず、バックコンバータ回路やブーストコンバータ回路など他のスイッチング電源回路であってもよいし、非スイッチング電源回路であってもよい。また、電源回路１１０と電源回路１３０とは、同じ構成であってもよいし、異なる構成であってもよい。
【００１８】
図３は、この実施の形態における照明装置１００が放射する光の相関色温度と光出力との関係を示すグラフ図である。
横軸は、相関色温度を表わす。縦軸は、光出力を表わす。
点５１１は、光源回路１７０の光源が放射する光の相関色温度及び光出力を表わす。点５１２は、光源回路１５０の光源が放射する光の相関色温度及び光出力を表わす。点５１３は、２つの光源回路１５０，１７０の光源が放射する光が混合した光の相関色温度及び光出力を表わす。
２つの光源回路１５０，１７０の光源が放射する光が混合した光の光出力は、光源回路１５０の光源が放射する光の光出力と、光源回路１７０の光源が放射する光の光出力との合計である。
また、２つの光源回路１５０，１７０の光源が放射する光が混合した光の相関色温度は、光源回路１５０の光源が放射する光の相関色温度と、光源回路１７０の光源が放射する光の相関色温度との中間である。
【００１９】
昼間など太陽光発電装置ＰＧの発電量が多く、電源回路１１０が出力する電流が目標電流に届く場合、照明装置１００は、２つの光源回路１５０，１７０の光源が放射する光が混合した光を放射する。
これに対し、夜間など太陽光発電装置ＰＧの発電量が少なく、電源回路１１０が出力する電流が目標電流に届かない場合、照明装置１００は、光源回路１７０の光源が放射する光を放射する。
このため、太陽光発電装置ＰＧの発電量が多い場合よりも、太陽光発電装置ＰＧの発電量が少ない場合のほうが、照明装置１００が放射する光の光出力が小さくなり、相関色温度が低くなる。
【００２０】
このように、照明装置１００は、色温度が相対的に高いＬＥＤと、相対的に低いＬＥＤと、これらのＬＥＤを点灯するＬＥＤ電源装置とを備える。ＬＥＤ電源装置は、太陽光発電装置ＰＧと、商用電力装置とから電力を供給される。太陽光発電装置ＰＧから電力が供給される期間は、ＬＥＤの光出力を大きくし、かつ、太陽光発電装置ＰＧから電力が供給されないときより相関色温度の高い光出力を発生する。
具体的には、例えば、異なる相関色温度のＬＥＤを直列に接続する。太陽光発電装置ＰＧから給電されるＬＥＤ電源装置は、直列に接続したＬＥＤ全体に直列接続するダイオードを備える。商用電力装置から給電されるＬＥＤ電源装置は、相関色温度の異なるＬＥＤの接続点に接続する。
これにより、昼は、太陽光発電装置ＰＧから給電して、相関色温度を高くし、かつ光出力を大きくし、夜間は、相関色温度を低くし、かつ光出力を昼間より低くする。昼間の電力は、自然エネルギーを利用するので、この期間に光出力を大きくしても節電になる。
【００２１】
なお、照明装置１００は、太陽光発電装置ＰＧが生成した直流電力を入力するのではなく、太陽光発電装置ＰＧが生成した直流電力をパワーコンディショナーなどの直流交流変換装置が交流電力に変換した電力を入力する構成であってもよい。その場合、電源回路１１０は、直流直流変換回路ではなく、交流直流変換回路とする。例えば、電源回路１１０は、直流直流変換回路の前段に全波整流回路を設けた構成とする。
【００２２】
実施の形態２．
実施の形態２について、図４〜図７を用いて説明する。
なお、実施の形態１と共通する部分については、同一の符号を付し、説明を省略する。
【００２３】
図４は、この実施の形態における照明装置１００の全体構成を示すブロック構成図である。
電源回路１３０は、光源回路１７０だけでなく、光源回路１５０に対しても電力を供給する。ただし、電源回路１３０が光源回路１５０に対して電力を供給するのは、曇天時など太陽光発電装置ＰＧの発電量がある程度はあるが不十分な場合に限る。
【００２４】
図５は、この実施の形態における照明装置１００の回路構成を示す電気回路図である。
照明装置１００は、電流検出抵抗Ｒ２９を有する。電流検出抵抗Ｒ２９は、実施の形態１における電流検出抵抗Ｒ１９及び電流検出抵抗Ｒ３９の代わりとして設けられたものであり、それぞれの電源回路１１０，１３０が出力した電流を個別に検出するのではなく、いずれの電源回路１１０，１３０が出力した電流であるかを区別せず、光源回路１７０（および光源回路１５０）を流れる電流を検出する。
電源回路１３０が出力する電流は、２つの光源回路１５０，１７０を流れる。
また、電源回路１３０は、スイッチング素子Ｑ４２を有する。スイッチング素子Ｑ４２は、光源回路１５０と並列に電気接続している。スイッチング素子Ｑ４２がオンになると、光源回路１５０の両端が短絡されるので、電源回路１１０や電源回路１３０が出力した電流は、光源回路１５０を流れず、光源回路１７０だけを流れる。
【００２５】
制御回路１３２は、制御回路１１２が出力する信号を入力する代わりに、太陽光発電装置ＰＧが出力する信号を入力する。太陽光発電装置ＰＧが出力する信号は、現在の発電量を表わす。制御回路１３２は、入力した信号に基づいて、昼間の晴天時など太陽光発電装置ＰＧの発電量が十分多い状態か、昼間の曇天時など太陽光発電装置ＰＧの発電量が十分でない状態か、夜間など太陽光発電装置ＰＧの発電量がほとんどない状態かを判定する。例えば、制御回路１３２は、入力した信号が表わす発電量を２つの閾値と比較して、第一の閾値より発電量が多い場合に、太陽光発電装置ＰＧの発電量が十分であると判定し、第一の閾値よりも小さい第二の閾値より発電量が少ない場合に、太陽光発電装置ＰＧの発電量がほとんどないと判定し、第一の閾値よりも発電量が少なく第二の閾値よりも発電量が多い場合に、太陽光発電装置ＰＧの発電量が不十分であると判定する。
【００２６】
太陽光発電装置ＰＧの発電量が多く、十分であると判定した場合、制御回路１３２は、スイッチング素子Ｑ３６を継続してオフにして、電源回路１３０の動作を停止させるとともに、スイッチング素子Ｑ４２をオフにして、電源回路１１０が出力した電流が２つの光源回路１５０，１７０を流れるようにする。
【００２７】
太陽光発電装置ＰＧの発電量が中程度であり、不十分であると判定した場合、制御回路１３２は、スイッチング素子Ｑ３６を高周波でオンオフして、電源回路１３０を動作させるとともに、スイッチング素子Ｑ４２をオフにして、２つの電源回路１１０，１３０が出力した電流が２つの光源回路１５０，１７０を流れるようにする。
【００２８】
太陽光発電装置ＰＧの発電量が少なく、ほとんどないと判定した場合、制御回路１３２は、スイッチング素子Ｑ３６を高周波でオンオフして、電源回路１３０を動作させるとともに、スイッチング素子Ｑ４２をオンにして、電源回路１３０が出力した電流が光源回路１５０を流れず、光源回路１７０だけを流れるようにする。
【００２９】
図６は、この実施の形態における点灯処理Ｓ６００の流れを示すフローチャート図である。
点灯処理Ｓ６００において、制御回路１３２は、電源回路１３０の動作を制御して、光源回路１５０や光源回路１７０の光源を点灯する。点灯処理Ｓ６００は、例えば、発電量判定工程Ｓ６１１と、２つの遮断工程Ｓ６１６，Ｓ６２６と、導通工程Ｓ６２７と、電力供給工程Ｓ６２８とを有する。
【００３０】
発電量判定工程Ｓ６１１において、制御回路１３２は、太陽光発電装置ＰＧの発電量を判定する。制御回路１３２は、太陽光発電装置ＰＧの発電量が多いと判定した場合、遮断工程Ｓ６１６へ、太陽光発電装置ＰＧの発電量が中程度であると判定した場合、遮断工程Ｓ６２６へ、太陽光発電装置ＰＧの発電量が少ないと判定した場合、制御回路１３２は、導通工程Ｓ６２７へ、それぞれ処理を進める。
遮断工程Ｓ６１６において、制御回路１３２は、スイッチング素子Ｑ４２をオフにする。制御回路１３２は、スイッチング素子Ｑ３６をオフにしたまま（すなわち、電源回路１３０を動作させずに）、発電量判定工程Ｓ６１１に処理を戻す。
遮断工程Ｓ６２６において、制御回路１３２は、スイッチング素子Ｑ４２をオフにする。制御回路１３２は、電力供給工程Ｓ６２８へ処理を進める。
導通工程Ｓ６２７において、制御回路１３２は、スイッチング素子Ｑ４２をオンにする。制御回路１３２は、電力供給工程Ｓ６２８へ処理を進める。
電力供給工程Ｓ６２８において、制御回路１３２は、スイッチング素子Ｑ３６を高周波でオンオフして、電源回路１３０を動作させる。制御回路１３２は、発電量判定工程Ｓ６１１に処理を戻す。
【００３１】
図７は、この実施の形態における電源回路１１０が出力できる最大電流と、２つの電源回路１１０，１３０が出力する電流の合計との関係を示すグラフ図である。
横軸は、電源回路１１０の最大出力電流を表わす。縦軸は、２つの電源回路１１０，１３０の合計出力電流を表わす。
実線５２１は、２つの電源回路１１０，１３０の合計出力電流を表わす。このうち、破線５２３より下の部分が、電源回路１１０が出力した電流であり、破線５２３より上の部分が、電源回路１３０が出力した電流である。
破線５２２は、制御回路１１２の目標電流を表わす。制御回路１１２は、電流検出抵抗Ｒ２９の両端電圧に基づいて、光源回路１７０（および光源回路１５０）を流れる電流が破線５２２で表わされる目標電流に一致するよう、スイッチング素子Ｑ１６を制御する。
破線５２４は、制御回路１３２の目標電流を表わす。太陽光発電装置ＰＧの発電量が中程度以下である場合、制御回路１３２は、電流検出抵抗Ｒ２９の両端電圧に基づいて、光源回路１７０（および光源回路１５０）を流れる電流が破線５２４で表わされる目標電流に一致するよう、スイッチング素子Ｑ３６を制御する。この図に示すように、制御回路１３２の目標電流は、制御回路１１２の目標電流よりも小さい。
【００３２】
太陽光発電装置ＰＧの発電量が多い場合、制御回路１３２は、電源回路１３０の動作を停止させる。このため、光源回路１７０（および光源回路１５０）を流れる電流は、電源回路１１０が出力する電流と等しい。すなわち、制御回路１１２は、実施の形態１と同様、電源回路１１０が出力する電流が所定の目標電流に一致するよう、スイッチング素子Ｑ１６を制御する。このとき、電源回路１１０が出力できる最大電流は、制御回路１１２の目標電流より大きい。したがって、光源回路１７０（および光源回路１５０）を流れる電流は、制御回路１１２の目標電流に一致する。
【００３３】
太陽光発電装置ＰＧの発電量が中程度以下である場合、制御回路１３２は、電源回路１３０を動作させる。このため、光源回路１７０（および光源回路１５０）を流れる電流は、２つの電源回路１１０，１３０が出力する電流の合計である。
【００３４】
２つの電源回路１１０，１３０の合計出力電流が、制御回路１３２の目標電流に一致している場合、制御回路１１２は、２つの光源回路１５０，１７０を流れる電流をもっと増やそうと、電源回路１１０が出力する電流を大きくする。これにより、２つの光源回路１５０，１７０を流れる電流が大きくなると、電源回路１３０は、２つの光源回路１５０，１７０を流れる電流を減らそうとして、電源回路１３０が出力する電流を小さくする。電源回路１１０が出力できる最大電流が、制御回路１１２の目標電流よりも小さければ、電源回路１１０は、最大出力電流に等しい電流を出力する。電源回路１１０の最大出力電流が制御回路１３２の目標電流よりも大きければ、電源回路１３０は、電流を出力しない。電源回路１１０の最大出力電流が制御回路１３２の目標電流より小さければ、電源回路１３０は、制御回路１３２の目標電流に対して不足する分の電流を出力する。
【００３５】
これにより、太陽光発電装置ＰＧの出力を最大限利用しつつ、太陽光発電装置ＰＧの出力だけでは不足する分を、電源回路１３０からの出力で補うことができる。
【００３６】
また、昼間の曇天時など、太陽光発電装置ＰＧの出力があるが、晴天時よりは屋外が暗い場合、２つの光源回路１５０，１７０を流れる電流が全体として少なくなるので、照明装置１００が放射する光の相関色温度を変えずに、光出力を抑える。夜間など、太陽光発電装置ＰＧの出力がほとんどない場合は、光源回路１５０の光源を点灯しないので、照明装置１００が放射する光の相関色温度を低くするとともに、光出力を更に抑える。
【００３７】
このように、照明装置１００は、太陽光発電装置ＰＧの出力が急減したときや、昼間から夜間への移行期間において、高い相関色温度のＬＥＤを昼間の光出力より低く、夜間の光出力より大きい光出力にする。
【００３８】
実施の形態３．
実施の形態３について、図８〜図９を用いて説明する。
なお、実施の形態２と共通する部分については、同一の符号を付し、説明を省略する。
【００３９】
この実施の形態における照明装置１００は、太陽光発電装置ＰＧの発電量が減少した場合に、放射する光の相関色温度を段階的に変えることにより、屋内にいる人に違和感を与えないようにする。例えば、照明装置１００は、光源回路１５０の光源を点灯する明るさを段階的に変化させ、２つの光源回路１５０，１７０の光源が放射する光を混合することにより、放射する光の相関色温度を段階的に変化させる。
【００４０】
この実施の形態における照明装置１００の回路構成は、実施の形態２で説明したものと同様である。
制御回路１３２は、光源回路１５０の光源を点灯する明るさを変えるため、例えば、人間の目には見えない程度の周波数（例えば２００Ｈｚ）でスイッチング素子Ｑ４２をオンオフするデューティ比（導通時間比率）５０％のパルス幅変調（ＰＷＭ）信号を生成し、光源回路１５０の光源を点滅させる。これにより、光源回路１５０の光源を点灯し続ける場合と比べて、光出力が小さくなる。
【００４１】
図８は、この実施の形態における点灯処理Ｓ６００の流れを示すフローチャート図である。
点灯処理Ｓ６００は、実施の形態２で説明した工程に加えて、例えば、時間初期化工程Ｓ６１８と、時間判定工程Ｓ６２１と、時間計数工程Ｓ６２２と、期間判定工程Ｓ６２５とを有する。
【００４２】
発電量判定工程Ｓ６１１において、制御回路１３２は、太陽光発電装置ＰＧの発電量を判定する。実施の形態２において、制御回路１３２は、太陽光発電装置ＰＧの発電量を「多い」「中程度」「少ない」の３段階に分類するが、この実施の形態では、太陽光発電装置ＰＧの発電量を「多い」「少ない」の２段階に分類する。実施の形態２における「中程度」は、「多い」に分類する構成であってもよいし、「少ない」に分類する構成であってもよい。なお、３段階もしくはそれ以上に分類する構成であってもよい。
制御回路１３２は、太陽光発電装置ＰＧの発電量が多いと判定した場合、遮断工程Ｓ６１６へ、太陽光発電装置ＰＧの発電量が少ないと判定した場合、時間判定工程Ｓ６２１へ、それぞれ処理を進める。
遮断工程Ｓ６１６において、制御回路１３２は、スイッチング素子Ｑ４２をオフにする。
時間初期化工程Ｓ６１８において、制御回路１３２は、あらかじめ記憶している経過時間を初期化してゼロにする。制御回路１３２は、スイッチング素子Ｑ３６をオフにしたまま（すなわち、電源回路１３０を動作させずに）、発電量判定工程Ｓ６１１に処理を戻す。
【００４３】
時間判定工程Ｓ６２１において、制御回路１３２は、あらかじめ記憶している経過時間が所定の閾値より大きいか小さいかを判定する。制御回路１３２は、経過時間が大きいと判定した場合、導通工程Ｓ６２７へ、経過時間が小さいと判定した場合、時間計数工程Ｓ６２２へ、それぞれ処理を進める。
時間計数工程Ｓ６２２において、制御回路１３２は、あらかじめ記憶している経過時間に１を加えて更新し、更新した経過時間を記憶する。
期間判定工程Ｓ６２５において、制御回路１３２は、光源回路１５０の光源を点灯させるべき期間であるか、消灯させるべき期間であるかを判定する。制御回路１３２は、点灯させるべき期間であると判定した場合、遮断工程Ｓ６２６へ、消灯させるべき期間であると判定した場合、導通工程Ｓ６２７へ、それぞれ処理を進める。
遮断工程Ｓ６２６において、制御回路１３２は、スイッチング素子Ｑ４２をオフにする。これにより、光源回路１７０を流れる電流が光源回路１５０にも流れ、光源回路１５０の光源が点灯する。制御回路１３２は、電力供給工程Ｓ６２８へ処理を進める。
導通工程Ｓ６２７において、制御回路１３２は、スイッチング素子Ｑ４２をオンにする。これにより、光源回路１５０の両端が短絡され、光源回路１５０の光源が消灯する。制御回路１３２は、電力供給工程Ｓ６２８へ処理を進める。
電力供給工程Ｓ６２８において、制御回路１３２は、スイッチング素子Ｑ３６を高周波でオンオフし、電源回路１３０を動作させる。制御回路１３２は、発電量判定工程Ｓ６１１に処理を戻す。
【００４４】
制御回路１３２は、例えばこのようにして、太陽光発電装置ＰＧの発電量についての判定が「多い」から「少ない」に変わってから所定の時間が経過するまでの間は、光源回路１５０の光源を点滅することにより、通常より暗く点灯する。太陽光発電装置ＰＧの発電量についての判定が「多い」から「少ない」に変わってから所定の時間が経過したのち、光源回路１５０の光源を完全に消灯する。
【００４５】
図９は、この実施の形態における照明装置１００が放射する光の相関色温度と光出力との関係を示すグラフ図である。
横軸は、相関色温度を表わす。縦軸は、光出力を表わす。
点５１４は、光源回路１５０の光源を点滅させた場合において光源回路１５０の光源が放射する光の相関色温度及び光出力を表わす。点５１５は、光源回路１５０の光源を点滅させた場合において２つの光源回路１５０，１７０が放射する光を混合した光の相関色温度及び光出力を表わす。
【００４６】
太陽光発電装置ＰＧの発電量が多いとき、照明装置１００は、点５１３で表わされる相関色温度及び光出力の光を放射する。太陽光発電装置ＰＧの発電量が減ると、照明装置１００は、点５１５で表わされるように、放射する光の相関色温度を低くし、光出力を小さくする。その後、所定の時間が経過すると、照明装置１００は、点５１１で表わされるように、放射する光の相関色温度を更に低くし、光出力を更に小さくする。また、太陽光発電装置ＰＧの発電量が回復すると、照明装置１００は、点５１３で表わされるように、放射する光の相関色温度を高くし、光出力を大きくする。
【００４７】
これにより、太陽光発電装置ＰＧの発電量の変化に伴って、照明装置１００が放射する光の相関色温度及び光出力が急激に変化することがなくなり、屋内にいる人に違和感を与えるのを防ぐことができる。
【００４８】
なお、光源回路１５０の光源を点灯する明るさを二段階に変化させるのではなく、もっと多い段階に変化させる構成であってもよい。光源回路１５０の光源を点灯する明るさは、スイッチング素子Ｑ４２をオンオフするデューティ比を変えることにより、変えることができる。これにより、照明装置１００が放射する光の相関色温度及び光出力を、三段階ではなくもっと多い段階に変化させることができる。
【００４９】
このように、照明装置１００は、異なる相関色温度のＬＥＤを直列に接続し、かつ、相関色温度の高いＬＥＤと並列にスイッチを備える。照明装置１００は、商用電力装置からＬＥＤを点灯するときに、スイッチを開閉制御する。
【００５０】
実施の形態４．
実施の形態４について、図１０〜図１１を用いて説明する。
なお、実施の形態２と共通する部分については、同一の符号を付し、説明を省略する。
【００５１】
実施の形態３における照明装置１００は、放射する光の相関色温度及び光出力を段階的に変化させるが、この実施の形態における照明装置１００は、放射する光の相関色温度及び光出力を連続的に変化させる。
【００５２】
この実施の形態における照明装置１００の回路構成は、実施の形態２で説明したものと同様である。
制御回路１３２は、光源回路１５０の光源が点灯する明るさを連続的に変化させるため、スイッチング素子Ｑ４２をオンオフするデューティ比を連続的に変化させる。
【００５３】
図１０は、この実施の形態における点灯処理Ｓ６００の流れを示すフローチャート図である。
点灯処理Ｓ６００は、実施の形態２で説明した工程に加えて、更に、２つの色温度判定工程Ｓ６１３，Ｓ６２３と、色温度増加工程Ｓ６１４と、２つの期間判定工程Ｓ６１５，Ｓ６２５と、導通工程Ｓ６１７と、色温度減少工程Ｓ６２４とを有する。
【００５４】
発電量判定工程Ｓ６１１において、制御回路１３２は、太陽光発電装置ＰＧの発電量が多いか少ないかを判定する。制御回路１３２は、太陽光発電装置ＰＧの発電量が多いと判定した場合、色温度判定工程Ｓ６１３へ、太陽光発電装置ＰＧの発電量が少ないと判定した場合、色温度判定工程Ｓ６２３へ、それぞれ処理を進める。
色温度判定工程Ｓ６１３において、制御回路１３２は、あらかじめ記憶した相関色温度が、所定の上限閾値より高いか低いかを判定する。制御回路１３２は、相関色温度が上限閾値より高いと判定した場合、遮断工程Ｓ６１６へ、相関色温度が上限閾値より低いと判定した場合、色温度増加工程Ｓ６１４へ、それぞれ処理を進める。
色温度増加工程Ｓ６１４において、制御回路１３２は、あらかじめ記憶した相関色温度に所定の数を加えて相関色温度を更新し、更新した相関色温度を記憶する。
期間判定工程Ｓ６１５において、制御回路１３２は、記憶した相関色温度に基づいて、光源回路１５０の光源を点滅させるデューティ比を算出する。制御回路１３２は、算出したデューティ比に基づいて、光源回路１５０の光源を点灯すべき期間であるか消灯すべき期間であるかを判定する。制御回路１３２は、光源回路１５０の光源を点灯すべき期間であると判定した場合、遮断工程Ｓ６１６へ、光源回路１５０の光源を消灯すべき期間であると判定した場合、導通工程Ｓ６１７へ、それぞれ処理を進める。
遮断工程Ｓ６１６において、制御回路１３２は、スイッチング素子Ｑ４２をオフにする。制御回路１３２は、スイッチング素子Ｑ３６を継続してオフにしたまま、発電量判定工程Ｓ６１１に処理を戻す。これにより、電源回路１３０は動作せず、電源回路１１０が出力した電流が、２つの光源回路１５０，１７０を流れる。
導通工程Ｓ６１７において、制御回路１３２は、スイッチング素子Ｑ４２をオンにする。制御回路１３２は、スイッチング素子Ｑ３６を継続してオフにしたまま、発電量判定工程Ｓ６１１に処理を戻す。これにより、電源回路１３０は動作せず、電源回路１１０が出力した電流が光源回路１７０だけを流れる。
【００５５】
色温度判定工程Ｓ６２３において、制御回路１３２は、あらかじめ記憶した相関色温度が、上限閾値よりも低い所定の下限閾値より高いか低いかを判定する。制御回路１３２は、相関色温度が下限閾値より高いと判定した場合、色温度減少工程Ｓ６２４へ、相関色温度が下限閾値より低いと判定した場合、導通工程Ｓ６２７へ、それぞれ処理を進める。
色温度減少工程Ｓ６２４において、制御回路１３２は、あらかじめ記憶した相関色温度から所定の数を差し引いて相関色温度を更新し、更新した相関色温度を記憶する。
期間判定工程Ｓ６２５において、制御回路１３２は、記憶した相関色温度に基づいて、光源回路１５０の光源を点滅するデューティ比を算出する。制御回路１３２は、算出したデューティ比に基づいて、光源回路１５０の光源を点灯すべき期間であるか消灯すべき期間であるかを判定する。制御回路１３２は、光源回路１５０の光源を点灯すべき期間であると判定した場合、遮断工程Ｓ６２６へ、光源回路１５０の光源を消灯すべき期間であると判定した場合、導通工程Ｓ６２７へ、それぞれ処理を進める。
遮断工程Ｓ６２６において、制御回路１３２は、スイッチング素子Ｑ４２をオフにする。これにより、光源回路１７０を流れる電流が、光源回路１５０にも流れる。制御回路１３２は、電力供給工程Ｓ６２８へ処理を進める。
導通工程Ｓ６２７において、制御回路１３２は、スイッチング素子Ｑ４２をオンにする。これにより、光源回路１５０の両端が短絡され、光源回路１５０には電流が流れない。制御回路１３２は、電力供給工程Ｓ６２８へ処理を進める。
電力供給工程Ｓ６２８において、制御回路１３２は、スイッチング素子Ｑ３６を高周波でオンオフする。これにより、電源回路１３０が動作する。制御回路１３２は、発電量判定工程Ｓ６１１へ処理を戻す。
【００５６】
図１１は、この実施の形態における照明装置１００が放射する光の相関色温度と光出力との関係を示すグラフ図である。
横軸は、相関色温度を表わす。縦軸は、光出力を表わす。
線５１６は、光源回路１５０の光源が放射する光の相関色温度及び光出力の軌跡を表わす。
【００５７】
スイッチング素子Ｑ４２が継続してオフの場合、点５１２で表わされるように、光源回路１５０の光出力は、最大になる。このとき、照明装置１００は、点５１３で表わされるように、光出力が大きく、相関色温度が高い光を放射する。
スイッチング素子Ｑ４２のオンデューティが小さくなるにつれて、線５１６で表わされるように、光源回路１５０が放射する光の光出力は小さくなるが、相関色温度は変わらない。光源回路１５０が放射する光の光出力が小さくなるにつれて、線５１７で表わされるように、照明装置１００が放射する光は、光出力が小さくなり、相関色温度が低くなる。
【００５８】
太陽光発電装置ＰＧの発電量についての判定が「多い」から「少ない」に変化すると、制御回路１３２は、光源回路１５０の光源が放射する光の光出力を徐々に小さくすることにより、照明装置１００が放射する光の光出力を徐々に小さくするとともに、相関色温度を徐々に低くする。
また、太陽光発電装置ＰＧの発電量についての判定が「少ない」から「多い」に変化すると、制御回路１３２は、光源回路１５０の光源が放射する光の光出力を徐々に大きくすることにより、照明装置１００が放射する光の光出力を徐々に大きくするとともに、相関色温度を徐々に高くする。
照明装置１００が放射する光の光出力及び相関色温度が完全に変化するまでにかかる時間は、数分〜数十分程度が望ましい。これにより、夜明けや日暮れなどによる屋外の明るさの変化に追随して、照明装置１００が放射する光の光出力及び相関色温度が変化する。また、雲の通過などにより太陽光発電装置ＰＧの発電量が短い期間だけ少なくなった場合、照明装置１００が放射する光の光出力及び相関色温度は、ほとんど変化しない。
なお、照明装置１００が放射する光の相関色温度を低くするときの速さと、高くするときの速さとは、異なっていてもよい。
【００５９】
実施の形態５．
実施の形態５について、図１２〜図１４を用いて説明する。
なお、実施の形態１〜実施の形態４と共通する部分については、同一の符号を付し、説明を省略する。
【００６０】
図１２は、この実施の形態における照明装置１００の全体構成を示すブロック構成図である。
照明装置１００は、実施の形態１で説明した機能ブロックに加えて、変換回路１８０を有する。変換回路１８０は、２つの電源回路１１０，１３０から供給される電力を、２つの光源回路１５０，１７０に供給する電力に変換する。
【００６１】
図１３は、この実施の形態における照明装置１００の回路構成を示す電気回路図である。
【００６２】
電源回路１１０は、例えば、昇圧回路１１１と、平滑コンデンサＣ１８と、整流素子Ｄ２１とを有する。昇圧回路１１１は、太陽光発電装置ＰＧが生成した電力の電圧を昇圧する。昇圧回路１１１は、出力直流電圧が所定の目標電圧（例えば４５０Ｖ）になるよう動作する。平滑コンデンサＣ１８は、昇圧回路１１１の出力により充電され、昇圧回路１１１の出力電圧を平滑化する。整流素子Ｄ２１は、電流の逆流を防ぐ。
電源回路１３０は、例えばブーストコンバータ回路（力率改善回路）である。その場合、電源回路１３０は、例えば、整流回路１３１と、制御回路１３２と、チョークコイルＬ３２と、スイッチング素子Ｑ３６と、２つの整流素子Ｄ３７，Ｄ４１と、平滑コンデンサＣ３８とを有する。整流回路１３１は、交流電源ＡＣから供給される電力を全波整流して、電圧波形を脈流にする。チョークコイルＬ３２と、スイッチング素子Ｑ３６とは、互いに直列に電気接続し、整流回路１３１の出力に電気接続している。制御回路１３２は、スイッチング素子Ｑ３６を高周波でオンオフする。整流素子Ｄ３７と、平滑コンデンサＣ３８とは、互いに直列に電気接続し、スイッチング素子Ｑ３６に並列に電気接続している。整流素子Ｄ４１は、電流の逆流を防ぐ。
実施の形態１と異なり、制御回路１３２は、太陽光発電装置ＰＧの発電量にかかわらず、スイッチング素子Ｑ３６を高周波でオンオフし、電源回路１３０を動作させる。制御回路１３２は、電源回路１３０の出力直流電圧が所定の目標電圧（例えば３５０Ｖ）になるよう、スイッチング素子Ｑ３６をオンオフするタイミングや周波数を制御する。電源回路１３０の目標電圧は、昇圧回路１１１の目標電圧よりも低い。
【００６３】
変換回路１８０（第二の電源回路の一部）は、例えばフライバックコンバータ回路である。その場合、変換回路１８０は、例えば、平滑コンデンサＣ８１と、制御回路１８２と、トランスＴ８３と、スイッチング素子Ｑ８６と、整流素子Ｄ８７と、平滑コンデンサＣ８８と、電流検出抵抗Ｒ８９とを有する。
平滑コンデンサＣ８１は、２つの電源回路１１０，１３０の出力に電気接続されている。平滑コンデンサＣ８１は、２つの電源回路１１０，１３０の出力のうち、高いほうの電圧まで充電される。昇圧回路１１１の目標電圧のほうが、電源回路１３０の目標電圧よりも高いので、太陽光発電装置ＰＧの発電量が十分であれば、平滑コンデンサＣ８１は、昇圧回路１１１の目標電圧まで充電される。これに対し、太陽光発電装置ＰＧの発電量が不十分な場合、電源回路１１０の出力電圧は、目標電圧に届かない。電源回路１１０の出力電圧が電源回路１３０の目標電圧より低ければ、平滑コンデンサＣ８１は、電源回路１３０の目標電圧までしか充電されない。
スイッチング素子Ｑ８６は、トランスＴ８３の一次巻線Ｌ８４と直列に電気接続している。平滑コンデンサＣ８１の両端電圧は、巻線Ｌ８４とスイッチング素子Ｑ８６との直列回路の両端に印加される。制御回路１８２は、スイッチング素子Ｑ８６を高周波でオンオフする。整流素子Ｄ８７及び平滑コンデンサＣ８８は、トランスＴ８３の二次巻線Ｌ８５と直列に電気接続している。電流検出抵抗Ｒ８９は、変換回路１８０が出力する電流を検出する。変換回路１８０が出力する電流は、光源回路１７０（および光源回路１５０）を流れる。
制御回路１８２は、電流検出抵抗Ｒ８９の両端に発生した電圧に基づいて、変換回路１８０が出力する電流が、目標電流に一致するよう、スイッチング素子Ｑ８６をオンオフするタイミングや周波数を調整する。
【００６４】
また、変換回路１８０は、スイッチング素子Ｑ４２と、判定部１４３と、切替部１４４とを有する。スイッチング素子Ｑ４２は、光源回路１５０と並列に電気接続している。スイッチング素子Ｑ４２がオンになると、光源回路１５０の両端が短絡され、光源回路１５０を電流が流れなくなる。
判定部１４３は、平滑コンデンサＣ８１の両端電圧に基づいて、太陽光発電装置ＰＧの発電量を判定する。上述したように、太陽光発電装置ＰＧの発電量が十分に多ければ、平滑コンデンサＣ８１の両端電圧は、昇圧回路１１１の目標電圧に一致し、太陽光発電装置ＰＧの発電量が十分でなければ、平滑コンデンサＣ８１の両端電圧は、昇圧回路１１１の目標電圧よりも低くなる。判定部１４３は、平滑コンデンサＣ８１の両端電圧と、昇圧回路１１１の目標電圧とを比較することにより、太陽光発電装置ＰＧの発電量が多いか少ないかを判定する。判定部１４３は、判定した結果を表わす信号を出力する。
切替部１４４は、判定部１４３が判定した結果に基づいて、スイッチング素子Ｑ４２を制御する。例えば、切替部１４４は、太陽光発電装置ＰＧの発電量が多いと判定部１４３が判定した場合、スイッチング素子Ｑ４２をオフにして、光源回路１５０の光源を点灯し、太陽光発電装置ＰＧの発電量が少ないと判定部１４３が判定した場合、スイッチング素子Ｑ４２をオンにして、光源回路１５０の光源を消灯する。
【００６５】
図１４は、この実施の形態における点灯処理Ｓ６００の流れを示すフローチャート図である。
点灯処理Ｓ６００は、例えば、電源判定工程Ｓ６１２と、遮断工程Ｓ６１６と、導通工程Ｓ６２７とを有する。
電源判定工程Ｓ６１２において、判定部１４３は、平滑コンデンサＣ８１の両端電圧に基づいて、太陽光発電装置ＰＧの発電量が多いか少ないかを判定する。判定部１４３は、太陽光発電装置ＰＧの発電量が多いと判定した場合、遮断工程Ｓ６１６へ、太陽光発電装置ＰＧの発電量が少ないと判定した場合、導通工程Ｓ６２７へ、それぞれ処理を進める。
遮断工程Ｓ６１６において、切替部１４４は、スイッチング素子Ｑ４２をオフにする。これにより、光源回路１７０を流れる電流が光源回路１５０にも流れ、２つの光源回路１５０，１７０の光源が点灯する。切替部１４４は、電源判定工程Ｓ６１２に処理を戻す。
導通工程Ｓ６２７において、切替部１４４は、スイッチング素子Ｑ４２をオンにする。これにより、光源回路１５０には電流が流れず、光源回路１７０の光源だけが点灯する。切替部１４４は、電源判定工程Ｓ６１２に処理を戻す。
【００６６】
なお、切替部１４４は、実施の形態２〜実施の形態４で説明した制御回路１３２のように、スイッチング素子Ｑ４２をオンオフすることにより、光源回路１５０の光源の明るさを段階的もしくは連続的に変化させるなどする構成であってもよい。
【００６７】
また、制御回路１８２は、判定部１４３が判定した結果に基づいて、目標電流を変化させる構成であってもよい。例えば、制御回路１８２は、太陽光発電装置ＰＧの発電量が多いと判定部１４３が判定した場合、目標電流を高い値に設定し、太陽光発電装置ＰＧの発電量が少ないと判定部１４３が判定した場合、目標電流を低い値に設定する。これにより、夜間など屋外が暗い場合は、光源回路１５０の光源を消灯するだけなく、光源回路１７０を流れる電流を更に小さくすることで、照明装置１００の光出力を更に小さくし、エネルギーを節約することができる。
【００６８】
このように、照明装置１００は、太陽光発電装置ＰＧの出力を昇圧する昇圧回路と、出力ダイオードとを備え、商用電力装置の出力を昇圧する昇圧回路と、出力ダイオードとを備える。太陽光発電装置ＰＧの出力が大きいときは、ＬＥＤ電源装置の出力電力を大きくする。
【００６９】
以上、各実施の形態で説明した構成は、一例であり、これに限定されるものではない。例えば、重要でない部分の構成を、他の構成で置き換えた構成としてもよいし、異なる実施の形態で説明した構成を組み合わせた構成としてもよい。
【符号の説明】
【００７０】
１００  照明装置、１１０，１３０  電源回路、１１１  昇圧回路、１１２，１３２，１８２  制御回路、１３１  整流回路、１４３  判定部、１４４  切替部、１５０，１７０  光源回路、１８０  変換回路、ＡＣ  交流電源、Ｃ１８，Ｃ３８，Ｃ８１，Ｃ８８  平滑コンデンサ、Ｄ１７，Ｄ２１，Ｄ３７，Ｄ４１，Ｄ８７  整流素子、Ｌ１４，Ｌ１５，Ｌ３４，Ｌ３５，Ｌ８４，Ｌ８５  巻線、Ｌ３２  チョークコイル、ＰＧ  太陽光発電装置、Ｑ１６，Ｑ３６，Ｑ４２，Ｑ８６  スイッチング素子、Ｒ１９，Ｒ２９，Ｒ３９，Ｒ８９  電流検出抵抗、Ｔ１３，Ｔ３３，Ｔ８３  トランス、５１１〜５１５  点、５１６，５１７  線、５２１  実線、５２２，５２３，５２４  破線。
【図１】
0005579042.tif 000002
【図２】
0005579042.tif 000003
【図３】
0005579042.tif 000004
【図４】
0005579042.tif 000005
【図５】
0005579042.tif 000006
【図６】
0005579042.tif 000007
【図７】
0005579042.tif 000008
【図８】
0005579042.tif 000009
【図９】
0005579042.tif 000010
【図１０】
0005579042.tif 000011
【図１１】
0005579042.tif 000012
【図１２】
0005579042.tif 000013
【図１３】
0005579042.tif 000014
【図１４】
0005579042.tif 000015